(57)【要約】【課題】周辺に他のリモコンや家具などが存在しても取付け作業を容易にできる電子機器の取付け構造および取付け方法を提供する。【解決手段】取付け板５は、筐体１０の背面側に接する板状部材５ｐに設けられる上側引掛け爪５１，５２と、下側引掛け爪５３と、板状部材５ｐから筐体１０側に斜め上方に折り曲げられてネジを通す貫通穴が形成された折り曲げ部５４とを備え、筐体１０は、その背面に形成されて取付け板５の上側引掛け爪５１，５２と下側引掛け爪５３とが挿入される各溝３８，３９，４０と、筐体１０の下面の傾斜面４２に形成されて折り曲げ部５４の貫通穴に挿入されたネジが締め付けられるネジ穴とを備えている。【選択図】図５
2013207176.tif 000002
【特許請求の範囲】
【請求項１】
電子回路が筐体に収納された電子機器を、取付け板を介して壁面に取付けるための電子機器の取付け構造であって、
前記取付け板は、前記壁面に固定される板状部材と、前記板状部材と略平行に形成された引掛け爪と、前記板状部材の下端から斜め上方に向くように曲げられてネジを通す貫通穴が形成された折り曲げ部とを備え、
前記筐体は、その背面に形成されて前記引掛け爪が挿入される爪受け部と、その底面に形成されて前記折り曲げ部が接する傾斜面とを備え、前記傾斜面には前記折り曲げ部の前記貫通穴に挿入されたネジを締め付けるネジ穴が設けられていることを特徴とする電子機器の取付け構造。
【請求項２】
請求項１に記載の電子機器の取付け構造であって、
前記筐体の背面には、前記爪受け部の下部に、前記引掛け爪の前記取付け板からの突出高さよりも深い第１の溝部が設けられていることを特徴とする電子機器の取付け構造。
【請求項３】
請求項１または請求項２に記載の電子機器の取付け構造であって、
前記筐体の背面には、前記取付け板の取付け位置に前記取付け板の板厚とほぼ同じ深さの凹部が設けられていることを特徴とする電子機器の取付け構造。
【請求項４】
請求項３に記載の電子機器の取付け構造であって、
前記第１の溝部は前記凹部内に設けられていることを特徴とする電子機器の取付け構造。
【請求項５】
請求項１から請求項４までのいずれか１項に記載の電子機器の取付け構造であって、
前記取付け板には、前記壁面にネジ止めするための複数のネジ止め用穴が設けられていることを特徴とする電子機器の取付け構造。
【請求項６】
請求項５に記載の電子機器の取付け構造であって、
前記筐体の背面には、前記ネジ止め用穴に挿通されて前記壁面にネジ止めされたネジの頭部の出っ張り高さよりも深い第２の溝部が設けられていることを特徴とする電子機器の取付け構造。
【請求項７】
請求項６に記載の電子機器の取付け構造であって、
前記第２の溝部は、前記第１の溝部によって兼用されていることを特徴とする電子機器の取付け構造。
【請求項８】
請求項７に記載の電子機器の取付け構造であって、
前記取付け板は、前記引掛け爪の下部近傍に前記ネジ止め用穴が設けられ、前記引掛け爪及び前記ネジ止め用穴に挿通された前記ネジの頭部は、前記筐体の前記第１の溝部内に取り込まれることを特徴とする電子機器の取付け構造。
【請求項９】
電子回路が筐体に収納された電子機器を、取付け板を介して壁面に取付ける電子機器の取付け方法であって、
前記取付け板を壁面にネジ止めする工程と、
前記筐体の背面を前記取付け板に押し当てる工程と、
前記筐体を下方に押し下げて、前記筐体の背面側に形成されている爪受け部に、前記板状部材に形成された引掛け爪を引っ掛ける工程と、
前記取付け板の下端から斜め上方に傾斜するように折り曲げられた折り曲げ部に形成された貫通穴にネジを挿入して、前記筐体の底面に形成された傾斜面のネジ穴に前記ネジを締め付ける工程と、を含むことを特徴とする電子機器の取付け方法。
【発明の詳細な説明】
【技術分野】
【０００１】
本発明は、太陽光発電システムのリモコンなどの電子機器を壁面に取付けるための取付け構造および取付け方法に関する。
【背景技術】
【０００２】
例えば、太陽光発電システムのリモコンなどは、リビングやキッチンなどの壁面に取付けられるのが一般的である。その取付け方法は、ねじを壁面に取付けてリモコン本体をねじに引っ掛ける方法、もしくは、壁面に取付け板を取付け、これに本体を引っ掛ける方法が用いられている。例えば、特許文献１には、電子回路を収納するフロントケースと、リアーケースとを含み、リアーケースに取付けた背面板に形成した１対の壁掛け用フック部を壁に取付けた金具に引っ掛けることによりリモコンを壁に取付ける例が示されている。
【０００３】
しかし、金具に引っ掛けるだけでは、リモコンが簡単に落下することがあるので、落下しないようにネジ止めする必要がある。
【先行技術文献】
【特許文献】
【０００４】
【特許文献１】特開２００８‐２５１９０９号公報
【発明の概要】
【発明が解決しようとする課題】
【０００５】
リビングやキッチンなどの壁面には、既にエアコンなどのリモコンが取付けられていたり、壁面に沿って家具などが設置されていることが多い。そのため、取付け場所に制約を受けたり、金具をリモコン本体にネジ止めするときに工具を操作するのに支障をきたしたり、リモコンの取付け作業が煩雑になったりすることがあった。
【０００６】
本発明はこのような状況に鑑みてなされたものであり、その目的は、周辺に他のリモコンや家具などが存在しても取付け作業を容易に行うことのできる電子機器の取付け構造および取付け方法を提供することにある。
【課題を解決するための手段】
【０００７】
上記課題を解決するため、本発明に係る電子機器の取付け構造は、電子回路が筐体に収納された電子機器を、取付け板を介して壁面に取付けるための電子機器の取付け構造であって、前記取付け板は、前記壁面に固定される板状部材と、前記板状部材と略平行に形成された引掛け爪と、前記板状部材の下端から斜め上方に向くように曲げられてネジを通す貫通穴が形成された折り曲げ部とを備え、前記筐体は、その背面に形成されて前記引掛け爪が挿入される爪受け部と、その底面に形成されて前記折り曲げ部が接する傾斜面とを備え、前記傾斜面には前記折り曲げ部の前記貫通穴に挿入されたネジを締め付けるネジ穴が設けられていることを特徴としている。
【０００８】
本発明によれば、引掛け爪を筐体の背面の爪受け部に挿入し、斜め上方向に折り曲げられた折り曲げ部の傾斜面にネジを挿入し、折り曲げ部の傾斜面に対して交差する方向から工具を用いてネジを締め付けることができるので、筐体の周辺に物品などが配置されていても取付け作業に支障をきたすことがなく作業性を向上できる。
【０００９】
また、本発明では、前記筐体は、前記取付け板の取付け位置に前記取付け板の板厚とほぼ同じ深さの凹部を設けた構成としてもよい。
【００１０】
本発明によれば、取付け板を凹部に嵌め込むことにより筐体の背面から取付け板が突出することがないので、筐体の背面を壁面に密着させることができ、外観の見栄えをよくすることができる。
【００１１】
また、本発明では、前記筐体の背面には、前記爪受け部の下部に、前記引掛け爪の前記取付け板からの突出高さよりも深い第１の溝部が設けられた構成としている。
【００１２】
したがって、第１の溝部を設けることで、引掛け爪を爪受け部に挿入するとき、引掛け爪が筐体の背面と接触しないので、引掛け爪を爪受け部にスムーズに挿入することができる。
【００１３】
また、本発明では、前記第１の溝部は前記凹部内に設けられている。第１の溝部を凹部内に設けることで、背面の凹部に取り付け板を嵌め合わせた状態で、筐体の背面を壁面に密着させてスライドさせても、引掛け爪が筐体の背面と接触することなく、引掛け爪を爪受け部にスムーズに挿入することができる。
【００１４】
また、本発明では、前記取付け板には、前記壁面にネジ止めするための複数のネジ止め用穴が設けられた構成としている。
【００１５】
本発明によれば、複数のネジ止め用穴にネジを挿入して締め付けることにより、取付け板を壁面に強固に取り付けることができる。
【００１６】
また、本発明では、前記筐体の背面には、前記ネジ止め用穴に挿通されて前記壁面にネジ止めされたネジの頭部の出っ張り高さよりも深い第２の溝部が設けられた構成としている。
【００１７】
本発明によれば、第２の溝部を設けることで、引掛け爪を爪受け部に挿入するとき、壁面にネジ止めされたネジの頭部が筐体の背面と接触しないので、引掛け爪を爪受け部にスムーズに挿入することができる。
【００１８】
また、本発明では、前記第２の溝部は、前記第１の溝部によって兼用された構成としてもよい。すなわち、第１の溝部を広くすることで、第２の溝部を含む一つの溝部とすることができる。このように、一つの溝部とすることで、筐体の背面形状をより簡単化することができる。
【００１９】
また、本発明では、前記取付け板は、前記引掛け爪の下部近傍に前記ネジ止め用穴が設けられ、前記引掛け爪及び前記ネジ止め用穴に挿通された前記ネジの頭部は、前記筐体の前記第１の溝部内に取り込まれる構成としている。
【００２０】
本発明によれば、引掛け爪を爪受け部に挿入するとき、引掛け爪と、壁面にネジ止めされたネジの頭部との両方が第１の溝部内に位置し、筐体の背面と接触しないので、引掛け爪を爪受け部にスムーズに挿入することができる。
【００２１】
また、本発明に係る電子機器の取付け方法は、電子回路が筐体に収納された電子機器を、取付け板を介して壁面に取付ける電子機器の取付け方法であって、前記取付け板を壁面にネジ止めする工程と、前記筐体の背面を前記取付け板に押し当てる工程と、前記筐体を下方に押し下げて、前記筐体の背面側に形成されている爪受け部に、前記板状部材に形成された引掛け爪を引っ掛ける工程と、前記取付け板の下端から斜め上方に傾斜するように折り曲げられた折り曲げ部に形成された貫通穴にネジを挿入して、前記筐体の底面に形成された傾斜面のネジ穴に前記ネジを締め付ける工程と、を含むことを特徴としている。
【００２２】
本発明によれば、周辺に他のリモコンや家具などが存在しても、新たなリモコン等の電子機器の取付け作業を容易に行うことができる。
【発明の効果】
【００２３】
本発明に係る電子機器の取付け構造は、取付け板を壁面にネジ止めし、取付け板の引掛け爪を筐体の背面側に形成されている爪受け部に引っ掛け、取付け板の下部から斜め上方向に傾斜するように折り曲げられた折り曲げ部の貫通穴にネジを挿入し、折り曲げ部の傾斜面に対して交差する方向から締め付けることにより、電子機器の周辺に家具などの物品が存在しても作業性を阻害されることなく、電子機器を壁面に容易に取り付けることができる。
【図面の簡単な説明】
【００２４】
【図１】本発明の実施形態に係るリモコンの正面図である。
【図２】本発明の実施形態に係るリモコンの背面図である。
【図３】本発明の実施形態に係るリモコンを底面側から見た背面の斜視図である。
【図４Ａ】取付け板を背面側から見た平面図である。
【図４Ｂ】取付け板をリモコン側（正面側）から見た平面図である。
【図４Ｃ】取付け板の側面図である
【図４Ｄ】取付け板の底面図である。
【図５】壁面に固定した取付け板にリモコンの背面側を取付ける様子を説明するための図（ただし、壁面は図示を省略している）である。
【図６】取付け板に取付けたリモコンの背面図（ただし、壁面は図示を省略している）である。
【図７】壁面に固定した取付け板にリモコンの背面側を取付ける前の様子を説明するための側面図である。
【図８】壁面に固定した取付け板にリモコンを取付けた様子を説明するための側面図である。
【図９】取付け板に筐体をねじ止めする様子を説明するための図である。
【図１０】取付け板に筐体をねじ止めする部分を拡大して示す要部断面図である。
【発明を実施するための形態】
【００２５】
以下、本発明の実施の形態について図面を参照して説明する。
【００２６】
図１は、本発明の一実施形態に係るリモコン１の正面図であり、図２は同じく背面図であり、図３はリモコン１の底面側から見た背面の斜視図である。
【００２７】
本発明が適用される電子機器の一例であるリモコン１は、各家庭に設置される太陽光発電システムをコントロールするとともに、発電電力量などをモニタするために設けられる。通常、リモコン１は、リビングやキッチンの壁面に設置される。なお、リモコン１は、太陽光発電システムをコントロールするものに限られることはなく、それ以外の電子機器や電気機器などの制御対象をコントロールするものであってもよい。
【００２８】
リモコン１は、図１に示すように樹脂を成型して形成された前面部材２と、図２に示すように同じく樹脂を成型して形成した背面部材３とによって構成されている。前面部材２および背面部材３のそれぞれの一方面は開口されており、それぞれの開口端縁同士を嵌め合わせて結合することにより筐体１０が構成されていて、その内部に図示しない電子回路や制御回路などの基板が収納される。前面部材２と背面部材３とを樹脂成型で形成できるので筐体１０を安価に量産できる。
【００２９】
前面部材２は、表面部２１と、表面部２１の周端から側面に至る側壁２２とが一体的に形成されている。表面部２１には、発電電力量や使用電力量などを表示する表示部である液晶表示器２３と、売電、買電などのモードを設定したり、各種設定値を設定したりするための操作部である押しボタンスイッチ２４，２５とが設けられている。したがって、液晶表示器２３の表示を見ながら押しボタンスイッチ２４，２５を操作できるので、太陽光発電システムのコントロールが容易になる。
【００３０】
リモコン１は、図４Ａから図４Ｄに示す取付け板５を介して壁面７０（図７を併せて参照）に取り付けられる。取付け板５は板金をプレス加工した長方形の板状部材５ｐからなり、リモコン１の筐体１０の背面に取付けられる。このために、取付け板５の上端には水平方向に所定の間隔を隔てて上側引掛け爪５１，５２が形成されており、上側引掛け爪５１，５２に対して垂直方向下側に所定の間隔を隔てて下側引掛け爪５３が形成されている。上側引掛け爪５１，５２と下側引掛け爪５３とは、板状部材５ｐから突出し、その先端が板状部材５ｐに平行に上方に延びるように形成された係止部５１ａ，５２ａ，５３ａを備えている。
【００３１】
取付け板５の下端には、壁面７０から斜め上方に傾斜するように折り曲げられた折り曲げ部５４（図７を併せて参照）が形成されており、折り曲げ部５４には貫通穴５５が形成されている。折り曲げ部５４は、貫通穴５５を形成しているだけであるため、斜めに折り曲げる加工がし易くなっている。また、取付け板５には、上側の３箇所と下側の３箇所とに、壁面７０にねじ止めするときにネジを挿入するためのネジ止め用穴６１〜６６が形成されている。取付け板５は、プレス加工により形成できるので、量産性に優れコストを低減できる。
【００３２】
筐体１０の背面部材３には、図３に示すように、取付け板５を取付ける取付け位置に、取付け板５を内包できる形状の取付け凹部（請求項に記載の凹部）３１が形成されている。取付け凹部３１は、取付け板５の板厚とほぼ同じ深さに形成されている。また、取付け凹部３１内には、取付け板５のネジ止め用穴６１〜６６に対応させて、上側の３箇所と下側の３箇所とにそれぞれ上下方向に長い溝部３２〜３４，３５〜３７が形成されている。各溝部３２〜３４，３５〜３７は、取付け板５のネジ止め用穴６１〜６６に挿通されて壁面７０にネジ止めされたネジ（図示省略）の頭部の出っ張り高さよりも深い溝に形成されている。さらに、上側の左右両端の２つの溝部３２，３４の各上部には、取付け板５の各上側引掛け爪５１，５２がそれぞれ挿入される爪受け部３８，３９が形成され、下側の中央部の溝部３６の上部には、取付け板５の下側引掛け爪５３が挿入される爪受け部４０が形成されている。逆に言えば、各上側引掛け爪５１，５２の下部に各溝部３２，３４が形成され、下側引掛け爪５３の下部に溝部３６が形成されている。
【００３３】
上記構成によれば、各溝部３２〜３７は、取付け板５に筐体１０の背面部材３を取り付けるとき、壁面７０にネジ止めされたネジの頭部が溝部３２〜３７内に取り込まれて、筐体の背面（正確には、溝部の底面）と接触することがないので、各引掛け爪５１，５２，５３を各爪受け部３８，３９，４０にスムーズに挿入することができる。すなわち、各溝部３２〜３７は、ネジの頭部との接触を避ける役目を担っている。
【００３４】
また、爪受け部３８，３９，４０が形成された溝部３２，３４，３６は、各引掛け爪５１，５２，５３の取付け板５からの突出高さよりも深い溝に形成されている。すなわち、爪受け部３８，３９，４０が形成された溝部３２，３４，３６については、ネジの頭部との接触を避ける他に、取り付け板５の引掛け爪５１，５２，５３を、筐体の背面（正確には、溝部の底面）と接触することなく、溝部内でスライドさせる役目も担っている。
【００３５】
すなわち、本実施形態では、各溝部３２〜３７が、請求項に記載の第１の溝部と第２の溝部とを兼用している。
【００３６】
また、筐体１０の背面部材３には、底面４１の一部に壁面７０に対して斜め上方に傾斜する傾斜面４２が形成されており、この傾斜面４２に対して交差する方向に延びるようにネジ穴４３が形成されている。ネジ穴４３は取付け板５の折り曲げ部５４の貫通穴５５に挿入されたネジが締め付けられて取付け板５を背面部材３に固定するために設けられている。このように傾斜面４２にネジ穴４３を形成することにより、折り曲げ部５４にネジ穴を形成するよりも、より確実にねじ受け部を設けることができる。
【００３７】
次に、図５から図１０を参照して、リモコン１を壁面７０に取付ける方法について説明する。
【００３８】
最初の工程では、取付け板５を垂直な壁面７０の家具などが設置されていない所定の位置に配置し、取付け板５の各貫通穴６１〜６６にそれぞれネジを挿入して、取付け板５を壁面７０にネジ止め固定する。取付け板５を壁面７０に取り付けた状態の側面図を図７に示す。
【００３９】
次の工程では、図７に示すように、筐体１０を背面側が壁面７０に対面するように、取付け板５に押し当てる。そして、背面部材３の取付け凹部３１を、壁面７０にネジ止め固定された取付け板５にはめ込み、図５に示す背面図および図７に示す側面図の矢印のように、筐体１０を下方向に押し下げる。そして、取付け板５の上側引掛け爪５１，５２を背面部材３の爪受け部３８，３９にそれぞれ挿入し、下側引掛け爪５３を爪受け部４０に挿入する。上側引掛け爪５１，５２と下側引掛け爪５３とには、係止部５１ａ，５２ａ，５３ａが形成されているので、係止部５１ａ，５２ａ，５３ａが爪受け部３８，３９，４０に係止される。これにより、筐体１０が落下することはない。このようにして、図６に示す背面図および図８に示す側面図のように、取付け板５に背面部材３が取付けられる。
【００４０】
次の工程では、取付け板５の折り曲げ部５４の貫通穴５５にネジ７を挿入し、図９および図１０に示すように、背面部材３の傾斜面４２に形成されているネジ穴４３に、工具８を用いてネジ７を締め付けて、取付け板５に筐体１０を固定する。取付け板５に背面部材３を取付けたとき、取付け板５は、背面部材３の取付け凹部３１に嵌め込まれるので、取付け板５と背面部材３の背面とは均一な面となる。したがって、リモコン１と壁面７０との間に隙間が生じることはない。
【００４１】
なお、ネジ７は壁面に対して、たとえば１９°の角度を有している。したがって、リモコン１の下部に他の物品などが存在していても、上記角度を有して壁面から離れて工具８でネジ止めすることが可能になるので、取り付けが容易になる。また、壁面と工具８の持つ手との間に所定の距離を取れるので、作業性が良好になる。
【００４２】
なお、背面部材３は前面部材２の開口部を塞ぐ板状部材であってもよい。その場合、傾斜面は前面部材２に形成すればよい。
【００４３】
また、取付け板５に水平方向に所定の間隔を隔てて上側引掛け爪５１，５２を形成したが、幅が広い引掛け爪であれば１つだけ設けてもよい。さらに、取付け板５のほぼ中央下部に設けた下側引掛け爪５３は複数であってもよい。あるいは、引掛け爪として水平方向に１対のみ、または垂直方向に１対のみ設けるようにしてもよい。
【００４４】
さらに、上記説明では、６箇所のネジ止め用穴６１〜６６の全てにネジを挿通して壁面にネジ止め固定する構成とてし説明しているが、強度が十分であれば全てのネジ止め用穴６１〜６６をネジ止め固定する必要はない。例えば、強度が十分であれば、中央上下の２つのネジ止め用穴６２，６５のみを壁面にネジ止め固定してもよいし、左右両側の上下４つのネジ止め用穴６１，６３，６４，６６のみを壁面にネジ止め固定してもよい。さらには、左右両側の上側２つのネジ止め用穴６１，６３と中央下部の１つのネジ止め用穴６５の３箇所のみ、または左右両側の下側２つのネジ止め用穴６４，６６と中央上部の１つのネジ止め用穴６２の３箇所のみを壁面にネジ止め固定してもよい。また、ネジ止め固定の位置は、壁面との関係において（例えば、裏側に芯材のある位置に対応させて）、上記６箇所の中から任意に選択するようにしてもよい。
【符号の説明】
【００４５】
１  リモコン（電子機器）
２  前面部材
３  背面部材
５  取付け板
５ｐ  板状部材
７  ネジ
８  工具
１０  筐体
２１  表面部
２２，４１  底面
２３  液晶表示器
２４，２５  押しボタンスイッチ
３１  取付け凹部（凹部）
３２〜３７  溝部（第１の溝部，第２の溝部）
３８，３９，４０  爪受け部
４２  傾斜面
４３  ネジ穴
５１，５２  上側引掛け爪
５３  下側引掛け爪
５１ａ，５２ａ，５３ａ  係止部
５４  折曲げ部
５５  貫通穴
６１〜６６  ネジ止め用穴
７０  壁面
【図１】
2013207176.tif 000003
【図２】
2013207176.tif 000004
【図３】
2013207176.tif 000005
【図４Ａ】
2013207176.tif 000006
【図４Ｂ】
2013207176.tif 000007
【図４Ｃ】
2013207176.tif 000008
【図４Ｄ】
2013207176.tif 000009
【図５】
2013207176.tif 000010
【図６】
2013207176.tif 000011
【図７】
2013207176.tif 000012
【図８】
2013207176.tif 000013
【図９】
2013207176.tif 000014
【図１０】
2013207176.tif 000015